(57)【要約】【課題】浴室内を暖める浴室暖房装置において、浴室内を目標の温度に素早く到達する浴室暖房装置を提供することを目的とする。【解決手段】浴室内の空気を吸い込む吸い込み口１０５と、吸い込み口１０６より吸い込んだ浴室内の空気を加熱する加熱手段としての熱交換器１１０と、熱交換器１１０により加熱された空気を吹き出し口１０６を介して浴室内に送風する循環ファン１０７と、吹き出し口１０６の開口面積を拡大する吹き出し口拡大手段２とを備え、暖房運転の開始時に吹き出し口拡大手段２を拡大方向に制御するという構成にしたことにより、浴室内に送風される熱量が増加し循環され、浴室内を目標の温度に素早く到達する浴室暖房装置を得られる。【選択図】図１
2013124816.tif 000002
【特許請求の範囲】
【請求項１】
浴室内の空気を吸い込む吸い込み口と、吸い込み口より吸い込んだ浴室内の空気を加熱する加熱手段と、加熱手段により加熱された空気を吹き出し口を介して浴室内に送風する加熱空気送風手段と、吹き出し口の開口面積を拡大する吹き出し口拡大手段とを備え、暖房運転の開始時に吹き出し口拡大手段を拡大方向に制御することを特徴とする浴室暖房装置。
【請求項２】
浴室内の温度を検出する浴室内温度検出手段と、浴室の壁面温度を検出する浴室壁面温度検出手段とを備え、暖房運転の開始時に浴室内の温度と浴室の壁面温度に応じて吹き出し口拡大手段を拡大方向に制御することを特徴とする請求項１に記載の浴室暖房装置。
【請求項３】
暖房運転中に浴室内の温度と浴室の壁面温度との温度差と、浴室内の温度により吹き出し口拡大手段を縮小方向に制御することを特徴とする請求項２に記載の浴室暖房装置。
【発明の詳細な説明】
【技術分野】
【０００１】
本発明は、浴室内を暖める浴室暖房装置において、浴室内を目標の温度に素早く到達するための構成および方法に関するものである。
【背景技術】
【０００２】
従来、この種の浴室暖房装置は、暖房運転の開始時に温風を吹き出すファンモータの回転数をあげるものが知られている（例えば、特許文献１参照）。
【０００３】
以下、その浴室暖房装置について図４を参照しながら説明する。
【０００４】
図４に示すように、浴室１０１の天井部１０２に設置された浴室暖房乾燥装置１０３は、浴室１０１内の空気を本体筐体１０４内に取り込むための吸い込み口１０５と、本体筐体１０４内で加熱した空気を浴室１０１内に吹き出すための吹き出し口１０６と、浴室１０１内の空気を循環させる送風手段としての循環ファン１０７と、循環ファン１０７による空気の循環経路中に設置された温水配管１０８を介して温水を供給する給水手段である温水暖房熱源装置１０９から温水が循環供給される熱交換器１１０と、温水配管１０８に設置された熱交換器１１０への温水の供給を断続する調整弁である熱動弁１１１と、前記循環ファン１０７、熱動弁１１１を組み合わせて駆動する制御部１１２と、浴室内の温度を検出する浴室内温度検出手段１１３とを備えている。
【０００５】
浴室暖房乾燥装置１０３は、温水配管１０８を介して温水暖房熱源装置１０９から温水が循環供給される熱交換器１１０上で、循環ファン１０７により本体筐体１０４内に取り込まれた浴室１０１内の空気と熱交換を行うことで浴室１０１内の空気を加熱する。熱交換器１１０で熱交換を行うことにより低温となった温水は温水配管１０８を介して温水暖房熱源装置１０９に戻り、再び加熱されて浴室暖房乾燥装置１０３に供給される。
【０００６】
一方、循環ファン１０７により吸い込み口１０５から本体筐体１０４内に取り込まれた浴室１０１内の空気は熱交換器１１０で加熱された後、吹き出し口１０６を通って浴室１０１内に吹き出すことで浴室１０１内の空気を加熱する。
【０００７】
浴室内温度に応じて、制御部１１２により循環ファン１０７の回転数を制御することで浴室１０１内の空気の加熱度合いを調整する。この加熱度合いの調整により浴室内温度を浴室設定温度に保持する。
【０００８】
また、暖房運転の開始時には浴室内温度を浴室設定温度に素早く到達させるために急速暖房として前記循環ファン１０７を保持するための設定された目標回転数よりも高い目標回転数で回転させる。回転数が高いほど熱交換器１１０を通過する空気が増加するので、吹き出し口より温風として浴室１０１内に送風される熱量が増加することになる。
【０００９】
また、大粒径、小粒径のミスト噴霧手段と、吹き出し口から送風される温風の風向を調整する風向調整手段を設けて、ミスト噴霧手段を切り替えてもしくは両方噴霧し、風向調整手段により粒径に応じて噴霧された水の滞在時間が長くなるように風向を制御することで、水の熱量の大きさを利用して浴室を早期に暖めるものがある（例えば、特許文献２参照）。
【先行技術文献】
【特許文献】
【００１０】
【特許文献１】特許第３７４３２４３号公報
【特許文献２】特許第４１５００２７号公報
【発明の概要】
【発明が解決しようとする課題】
【００１１】
このような従来の浴室暖房装置の急速暖房においては、浴室内の温風を循環させるファンモータの回転数を上げることは浴室内温度を浴室設定温度に素早く到達させるために改善にはなるが、暖房運転の温度設定によっては通常でも目標回転数が高く、また、発熱しやすい部品であり、温度上昇面から部品寿命の短命化、また、吹き出し口付近の高温状態が続くことになり樹脂部材が変形しやすい、さらに、回転数を上げることによる音・振動が増大するといった課題を有しているため、劇的にファンモータの回転数を上げて熱量を稼ぐことは困難であった。
【００１２】
また、ミスト噴霧を行うものについては、水の温度分布の良さと、保温性の良さから条件次第では効果があるが、例えば冬場など浴室が冷え切っている場合などに浴室内温度だけで判断してミスト噴霧を行うと、図５に示した浴室温度変化例のように温度分布の良さと、保温性の良さが悪い方に働いて逆効果になる場合もある。また、特許文献２には具体的な粒径が記載されていないがノズル噴霧を想定しており、ノズル噴霧の粒径では入浴前に浴室全体が濡れてしまい、入室したときに床や壁が濡れているのを嫌う使用者に対して印象が悪いという課題を有していた。
【００１３】
そこで本発明は、上記従来の課題を解決するものであり、吹き出し口の開口面積を拡大する吹き出し口拡大手段を備えて、暖房運転の開始時に吹き出し口拡大手段を拡大方向に制御する浴室暖房装置を提供することを目的とする。
【課題を解決するための手段】
【００１４】
そして、この目的を達成するために、本発明は、浴室内の空気を吸い込む吸い込み口と、
吸い込み口より吸い込んだ浴室内の空気を加熱する加熱手段と、加熱手段により加熱された空気を吹き出し口を介して浴室内に送風する加熱空気送風手段と、吹き出し口の開口面積を拡大する吹き出し口拡大手段とを備え、暖房運転の開始時に吹き出し口拡大手段を拡大方向に制御することを特徴とする浴室暖房装置としたものであり、これにより所期の目的を達成するものである。
【発明の効果】
【００１５】
本発明によれば、吹き出し口の開口面積を拡大する吹き出し口拡大手段を備え、暖房運転の開始時に吹き出し口拡大手段を拡大方向に制御するという構成にしたことにより、開口面積が拡大した分浴室内に送風される熱量が増加し循環されることとなるので、急速に浴室内を暖めることができるという効果を得ることができる。
【図面の簡単な説明】
【００１６】
【図１】本発明の実施の形態１の浴室暖房装置の構成図
【図２】同吹き出し口拡大手段による拡大方向へ動作した時の構成図
【図３】暖房開始時の吹き出し口拡大手段の動作フローチャート
【図４】従来の浴室暖房装置の構成図
【図５】暖房運転開始時からの浴室温度変化の例を示す図
【発明を実施するための形態】
【００１７】
本発明の請求項１記載の浴室暖房装置は、浴室内の空気を吸い込む吸い込み口と、吸い込み口より吸い込んだ浴室内の空気を加熱する加熱手段と、加熱手段により加熱された空気を吹き出し口を介して浴室内に送風する送風手段と、吹き出し口の開口面積を拡大する吹き出し口拡大手段とを備え、暖房運転の開始時に吹き出し口拡大手段を拡大方向に制御するという構成を有する。これにより、開口面積が拡大した分浴室内に送風される熱量が増加し循環されることとなるので、急速に浴室内を暖めることができるという効果を奏する。
【００１８】
また、浴室内の温度を検出する浴室内温度検出手段と、浴室の壁面温度を検出する浴室壁面温度検出手段とを備え、暖房運転の開始時に浴室内の温度と浴室の壁面温度に応じて吹き出し口拡大手段を拡大方向に制御するという構成としたものである。これにより、浴室内の状況に合わせて開口面積が拡大した分浴室内に送風される熱量が増加し循環されることとなるので、浴室内の状況に見合った最短での急速暖房運転を行うことができるという効果を奏する。
【００１９】
さらに、暖房運転中に浴室内の温度と浴室の壁面温度との温度差と、浴室内の温度により吹き出し口拡大手段を縮小方向に制御するという構成としたものである。これにより、急速暖房により浴室の環境が整ったら最短で浴室設定温度保持の動作へ移行することとなるので、最短で浴室内を暖房保持状態とすることができるという効果を奏する。
【００２０】
以下、本発明の実施の形態について図面を参照しながら説明する。
【００２１】
（実施の形態１）
図１は、本発明の実施の形態１における浴室暖房装置の構成図である。
【００２２】
図１に示すように、浴室１０１の天井部１０２に設置された浴室暖房乾燥装置１０３は、本体表面パネル１に浴室１０１内の空気を本体筐体１０４内に取り込むための吸い込み口１０５と、本体筐体１０４内で加熱した空気を浴室１０１内に吹き出すための吹き出し口１０６が設けられ、浴室１０１内の空気を循環させる送風手段としての循環ファン１０７と、循環ファン１０７による空気の循環経路中に設置された温水配管１０８を介して温水を供給する温水暖房熱源装置１０９から温水が循環供給される熱交換器１１０と、温水配管１０８に設置された熱交換器１１０への温水の供給を断続する調整弁である熱動弁１１１と、吹き出し口１０６の開口面積を拡大する吹き出し口拡大手段２と、吹き出し口１０６から送風される温風の風向を調整する風向調整手段としての可動ルーバー３と、前記循環ファン１０７、熱動弁１１１、吹き出し口拡大手段２、可動ルーバー３を組み合わせて駆動する制御部１１２と、浴室内の温度を検出する浴室内温度検出手段としてのサーミスタ４と、浴室壁面の温度を検出する浴室壁面温度検出手段としてのサーミスタ４とを備えている。
【００２３】
浴室暖房乾燥装置１０３は、温水配管１０８を介して温水暖房熱源装置１０９から温水が循環供給される熱交換器１１０上で、循環ファン１０７により本体筐体１０４内に取り込まれた浴室１０１内の空気と熱交換を行うことで浴室１０１内の空気を加熱する。熱交換器１１０で熱交換を行うことにより低温となった温水は温水配管１０８を介して温水暖房熱源装置１０９に戻り、再び加熱されて浴室暖房乾燥装置１０３に供給される。
【００２４】
一方、循環ファン１０７により吸い込み口１０５から本体筐体１０４内に取り込まれた浴室１０１内の空気は熱交換器１１０で加熱された後、吹き出し口１０６を通って浴室１０１内に吹き出すことで浴室１０１内の空気を加熱する。
【００２５】
暖房運転は、浴室内をある設定温度に保持する浴室設定温度に対して、サーミスタ４により検出される浴室内温度に応じて、制御部１１２により熱動弁１１１の開閉動作および循環ファン１０７の回転数を制御することにより、熱交換器１１０への温水の供給を断続し、加熱された空気の送風量を調整することで浴室１０１内の空気の加熱度合いの調整を行う。この加熱度合いの調整により浴室内温度を浴室設定温度に保持する。
【００２６】
吹き出し口拡大手段２は、本体表面パネルの吹き出し口１０６の開口面積を拡大または元に戻す手段として備えられ、ステッピングモータにより、ある一方向へ回転させることにより本体表面パネルの吹き出し口１０６が図２のように拡大方向に動作し、逆方向に回転することにより図１のように縮小方向に動作することが可能となっている。
【００２７】
可動ルーバー３は、吹き出し口１０６付近に浴室１０１内への風向を調節するための風向変更手段として備えられ、可動ルーバー３を任意の角度に移動するステッピングモータ３ａにより角度調節が可能となっている。
【００２８】
サーミスタ４は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００２９】
次に、暖房運転の開始時の制御について説明する。暖房運転の開始時には急速暖房として、浴室内温度を浴室設定温度に素早く到達させるために、制御部１１２により吹き出し口１０６の開口面積を拡大する吹き出し口拡大手段２を制御する。
【００３０】
図２のように開口面積を拡大することにより、拡大した開口面積の分だけ循環ファン１０７により浴室内に送風される熱量が増加し循環されることとなる。なお、暖房運転の開始時とは循環ファン１０７により温風が吹ける条件が整った直後を指す。循環ファン１０７により温風が吹ける条件として、例えば、熱交換器１１０の温度（図示せず）が５０℃以上である。
【００３１】
暖房運転開始時の吹き出し口拡大手段２の拡大方向、縮小方向への詳細な制御について、図３の動作フローチャートに基づいて説明する。ステップ００１において、サーミスタ４により検出される浴室内温度とサーミスタ４により検出される浴室壁面温度の温度差が５℃以下で、且つ浴室内温度が３０℃以上であれば急速暖房の必要はなく通常の暖房運転、つまり浴室設定温度の保持に移行してよいと判断し、ステップＳ００２の吹き出し口拡大手段２を縮小方向への処理を行い、急速暖房の処理を終える。ステップＳ００２への移行条件を満たさない場合はステップＳ００３の吹き出し口拡大手段２を拡大方向への処理を行ったのちステップＳ００１へ戻り、ステップＳ００２への移行条件が整うまで急速暖房の処理を継続する。
【００３２】
このような構成によれば、吹き出し口の開口面積を拡大する吹き出し口拡大手段２を備え、暖房運転の開始時に吹き出し口拡大手段２を拡大方向に制御するとしたことにより、開口面積が拡大した分浴室内に送風される熱量が増加し循環されることとなるので、急速に浴室内を暖めることができる。
【００３３】
なお、実施の形態１では、浴室に人がいる場合を想定して記述していないが、別途在室検出手段を設けて、在室の場合には図３で示した急速暖房の処理を行わないとするのがより好ましい。
【産業上の利用可能性】
【００３４】
本発明にかかる浴室暖房装置は、浴室内を素早く目標の温度に到達することを可能にするものであり、浴室のみに限らず、屋内にて温度の制御が必要とされる箇所への空気調和装置や温度制御装置等として有用である。
【符号の説明】
【００３５】
１    本体表面パネル
２    吹き出し口拡大手段
３    可動ルーバー（風向調整手段）
３ａ  ステッピングモータ
４    サーミスタ（浴室壁面温度検出手段）
【図１】
2013124816.tif 000003
【図２】
2013124816.tif 000004
【図３】
2013124816.tif 000005
【図４】
2013124816.tif 000006
【図５】
2013124816.tif 000007